(57)【特許請求の範囲】
【請求項１】
貯氷量を検知する検氷レバーと、該検氷レバーで貯氷量不足を検知した場合に製氷皿を回転駆動して離氷する電動機構部と、を有する自動製氷機を備えた冷蔵庫において、
前記自動製氷機は製氷フレームを備え、該製氷フレームは、前記製氷皿を収納する製氷皿収納室と、前記製氷皿収納室と区画されて前記検氷レバーを収納する検氷レバー収納室と、が形成されて、前記製氷皿収納室の側部から冷気を導く第一の冷気通路と、前記検氷レバー収納室に冷気を導く第三の冷気通路と、前記製氷皿収納室の上部及び前記第三の冷気通路に冷気を導く第二の冷気通路と、を備え、
前記検氷レバー収納室の壁に検氷レバー収納室開口が形成されて、前記第三の冷気通路から前記検氷レバー収納室開口を通過した冷気が前記検氷レバー収納室に導かれることを特徴とする冷蔵庫。
【請求項２】
前記第二の冷気通路は、前記電動機構部の上部に設けられ、前記製氷皿収納室及び前記第三の冷気通路に冷気を分配する風向板を備えたことを特徴とする、請求項１記載の冷蔵庫。
【発明の詳細な説明】
【技術分野】
【０００１】
本発明は、冷蔵庫に関する。
【背景技術】
【０００２】
特許文献１（特開２００６−１０５４２０号公報）には、冷凍温度室において製氷皿を電動機構によって回動させることによりこの製氷皿内の氷を下方へ落下させる自動製氷機であって、電動機構が後部に配置されその前方位置に製氷皿が配置された本体部材が冷凍温度室の上部に着脱自在に取り付けられ、本体部材には、冷凍温度室の後部から吹き出す冷気を製氷皿へ供給する冷気供給通路を電動機構の側方を通って製氷皿の側方に向けて屈曲配置したことが記載されている。
【先行技術文献】
【特許文献】
【０００３】
【特許文献１】特開２００６−１０５４２０号公報
【発明の概要】
【発明が解決しようとする課題】
【０００４】
特許文献１のように、一般的な冷蔵庫は、冷凍温度帯室後方の冷却器室に冷却器が配置されて、冷凍温度帯室に冷気を循環する送風機は冷却器室内、すなわち、冷凍温度帯室の後方中央に設けられている。一方、自動製氷機は、冷凍温度帯室の冷蔵庫本体に対して右寄り又は左寄りに設けられる。
【０００５】
この構成において、製氷皿への冷気供給通路は、冷蔵庫本体中央よりの製氷皿側方から、製氷皿表面に冷気を導く。すなわち、送風機から製氷皿までの冷気供給通路の距離をなるべく短くするために、送風機に近い側の製氷皿の側方から冷気を供給している。
【０００６】
仮に冷気通路を冷蔵庫本体の側壁側（送風機に遠い側の製氷皿の側方）とする場合、送風機からの距離が長くなり、風路抵抗が増加する。
【０００７】
特許文献１記載の構成では、製氷皿を冷やすために設けた製氷皿収納室側面の通気孔が、検氷レバーに対向する位置にあるため、製氷皿表面に効率よく冷気を供給して冷却することができない。
【０００８】
また、検氷レバーに霜が付着することで、正確な検氷ができなくなるおそれがある。
【０００９】
そこで本発明は、製氷効率を向上して、かつ貯氷量の検知精度を向上した冷蔵庫を提供することを目的とする。
【課題を解決するための手段】
【００１０】
本発明では、上述の課題を解決するため、例えば特許請求の範囲に記載の手段を採用する。一例として、貯氷量を検知する検氷レバーと、該検氷レバーで貯氷量不足を検知した場合に製氷皿を回転駆動して離氷する電動機構部と、を有する自動製氷機を備えた冷蔵庫において、前記自動製氷機は製氷フレームを備え、該製氷フレームは、前記製氷皿を収納する製氷皿収納室と、前記製氷皿収納室と区画されて前記検氷レバーを収納する検氷レバー収納室と、が形成されて、前記製氷皿収納室の側部から冷気を導く第一の冷気通路と、前記検氷レバー収納室に冷気を導く第三の冷気通路と、前記製氷皿収納室の上部及び前記第三の冷気通路に冷気を導く第二の冷気通路と、を備え、前記検氷レバー収納室の壁に検氷レバー収納室開口が形成されて、前記第三の冷気通路から前記検氷レバー収納室開口を通過した冷気が前記検氷レバー収納室に導かれる。
【発明の効果】
【００１１】
本発明によれば、製氷効率を向上して、かつ貯氷量の検知精度を向上した冷蔵庫を提供することができる。
【図面の簡単な説明】
【００１２】
【図１】本発明の実施形態に係る冷蔵庫の正面外観斜視図である。
【図２】図１の冷蔵庫の要部縦断面図で、製氷室、冷凍室及び冷却器室の断面図である。
【図３】図１の冷蔵庫の要部縦断面図で、製氷室部分の断面図である。
【図４】図２の仕切り板の正面斜視図である。
【図５】図２及び図３の自動製氷機の上面図である。
【図６】図５に示す自動製氷機の正面図である。
【図７】図５に示す自動製氷機のＡ−Ａ断面図である。
【図８】図５に示す自動製氷機のＢ−Ｂ断面図である。
【図９】図５に示す自動製氷機のＣ−Ｃ断面図である。
【図１０】図５に示す自動製氷機のＤ−Ｄ断面図である。
【発明を実施するための形態】
【００１３】
以下、本発明の実施形態について説明する。尚、以下は本発明における一実施例であり、本発明がこれに限定されるものではない。
【００１４】
図１は、本発明の実施形態に係る冷蔵庫の正面外観斜視図である。図２は、図１の冷蔵庫の要部縦断面図で、製氷室、下段冷凍室及び冷却器室の断面図である。図３は、図１の冷蔵庫の要部縦断面図で、製氷室部分の断面図である。図４は、図２の仕切り板の正面斜視図である。図５は、図２及び図３の自動製氷機の上面図である。図６は、図５に示す自動製氷機の正面図である。図７は、図５に示す自動製氷機のＡ−Ａ断面図である。図８は、図５に示す自動製氷機のＢ−Ｂ断面図である。図９は、図５に示す自動製氷機のＣ−Ｃ断面図である。図１０は、図５に示す自動製氷機のＤ−Ｄ断面図である。
【００１５】
まず、冷蔵庫の全体構成について説明する。図１、図２、図３において、１は冷蔵庫本体である。冷蔵庫本体１は、外箱２と内箱３との間に断熱材４（例えば発泡断熱材、真空断熱材等）を備えた断熱箱体によって、内部と外部が区画される。冷蔵庫本体１の下部後方には、冷凍サイクルの一部である圧縮機５が配置される。なお、圧縮機５は、貯蔵室と断熱的に区画されていれば、冷蔵庫本体１の上部後方等であってもよく、その設置位置は特に限定されるものではない。
【００１６】
冷蔵庫本体１内には冷蔵室６、製氷室１４、上段冷凍室７ａ、下段冷凍室７、野菜室８の貯蔵室が形成されている。冷凍サイクルは圧縮機５、凝縮器、キャピラリチュ−ブ、冷却器１８等より構成されるもので、圧縮機５で圧縮された冷媒は凝縮器（図示せず）で凝縮され、キャピラリチュ−ブなどの減圧部を通って蒸発器（後述する冷却器）で蒸発し、再び圧縮機５に帰還して圧縮されるように循環し、これを繰り返す。これにより、先の冷蔵室６、下段冷凍室７、野菜室８内を、所定温度まで冷却する。
【００１７】
冷蔵庫本体１の前方開口には冷蔵室６を開閉する冷蔵室扉９、製氷室１４を開閉する製氷室扉、上段冷凍室を開閉する第一の冷凍室扉１１、下段冷凍室７を開閉する第二の冷凍室扉１２、野菜室８を開閉する野菜室扉１３をそれぞれ備えている。
【００１８】
また、冷蔵室扉９は、図１に示すヒンジ１５等で回転可能に冷蔵庫本体１に接続された、観音開き式（フレンチドア）である。その他の扉は、引き出し式であり、扉を引き出すと各貯蔵室内の収納容器が扉枠及びレ−ル等によって扉と共に引き出されるように構成されている。
【００１９】
１６は冷却器室である。冷却器室１６は、下段冷凍室７の後方に仕切部材１７で区画して構成されている。冷却器室１６には、冷凍サイクルの一部を構成している冷却器１８が配置されている。１９は冷却器１８の下方に配置されて冷却器１８に付いた霜を除去する除霜ヒータであり、２０は冷気循環手段の送風機である。送風機１９は、冷却器１８で熱交換した冷気を冷蔵室６、製氷室１４、上段冷凍室７ａ、下段冷凍室７、野菜室８に循環する。２１はダンパーであり、送風機２０から各貯蔵室に送風する冷気量を制御し、各貯蔵室を予め設定した温度に制御する役目を果たす。
【００２０】
２２は冷蔵室６と冷凍温度帯室（製氷室１４、上段冷凍室７ａ、下段冷凍室７）とを区画する断熱仕切壁であり、２３は冷凍温度帯室と野菜室８とを区画する断熱仕切壁である。すなわち、温度帯が異なる冷蔵温度帯室と冷凍温度帯室の間は、断熱仕切壁２２、２３によって断熱的に区画されて、温度帯が共通の冷凍温度帯室（製氷室１４、上段冷凍室７ａ、下段冷凍室７）は、各扉のシール部材を受けるように前方が区画されていて、後方は冷気の往来が可能な構成である。
【００２１】
２４は冷蔵室６内に設けられた貯水タンクである。貯水タンク２４内の水は、ポンプ等の給水手段によって、後述する自動製氷機の製氷皿に給水される。
【００２２】
２５は自動製氷機である。自動製氷機２５とは、製氷フレーム２９内に電動機構部２６と、電動機構部２６によって回動駆動される製氷皿２７、後述する貯氷容器３０内の氷の量を検出する検氷レバー２８等が組み込まれたものである。
【００２３】
なお、製氷皿２７は樹脂製であり、ひねり可能な材質で構成された前後方向に長い形態をなし、長手方向を列方向として４個２列、５個２列、または６個２列のように複数のセルに区分されている。
【００２４】
また、検氷レバー２８は図２に示すごとく幅広でＬ字形状をなすもので、先の電動機構部２６の駆動力で支点２８ａを中心に先端が矢印ａ方向に移動し貯氷タンク２４内の氷の量を検出する。
【００２５】
自動製氷機２５は、後述する如く冷蔵庫本体１の左側（送風機２０から遠い方）に検氷レバー２８を、冷蔵庫本体１の右側に製氷皿２７冷却用の冷気通路（後述する第一の冷気通路３３）を設けた構成をとっている。貯氷容器３０は、製氷室扉１０側の扉枠１０ａに懸架されており、製氷室扉１０を手前側に引き出すと、製氷室扉１０とともに引き出される構成となっている。
【００２６】
自動製氷機２５の外郭を構成する製氷フレーム２９は、図２、図３に示す如く製氷室１４に仕切部材１７と関連して取り付けられている。すなわち、仕切部材１７は図４に示す第一の冷気吹き出し口３１、第二の冷気吹き出し口３２より吹き出される冷気を、製氷フレーム２９内に取り込むように配置されている。
【００２７】
そして、製氷フレーム２９は第一の冷気通路３３、第二の冷気通路３４、第三の冷気通路３５を有し、製氷皿２７、及び検氷レバー２８の冷却並びに霜付きの防止を行う。
【００２８】
具体的に、図４に示すように、第一の冷気吹き出し口３１と第二の冷気吹き出し口３２は、左右に並んで仕切部材１７に配置されている。冷蔵庫本体１の左右方向の中央寄りに配置された第一の冷気吹き出し口３１より吹き出された冷気は、第一の冷気通路３３（図５参照）に導かれる。第二の冷気吹き出し口３２より吹き出された冷気は、第二の冷気通路３４、第三の冷気通路３５（図３、図５参照）に導かれる。
【００２９】
なお、自動製氷機２５の製氷制御、冷蔵室６、下段冷凍室７、野菜室８等の温度制御、その他冷蔵庫の諸機能は、冷蔵庫本体１に備えた制御機器によって制御される。
【００３０】
次に、冷気通路についてさらに詳細に説明する。図４に示す第二の冷気吹き出し口３２により吹き出された冷気は、製氷フレーム２９と製氷室１４の上壁１４ａとの間に形成される第二の冷気通路３４（図３、図５参照）を通って、第三の冷気通路３５に導入され、検氷レバー収納室３６を形成する検氷レバー収納室側壁２９ｄに設けられた検氷レバー収納室開口３７を介して検氷レバー収納室３６（図８参照）に吹き出される。これにより、検氷レバー２８に付く霜を冷気で昇華させ、検氷レバー２８が霜付きで誤検出するのを防止する。
【００３１】
すなわち、検氷レバー２８は図２に示すように、離氷前に矢印ａ方向に移動し、貯氷容器３０内の氷の量を検出し、製氷皿２７で完成した氷を貯氷容器３０内に落下させるか否かを判定する。ここで、検氷レバー２８に霜が成長すると、氷の検知高さが変わり、正確な氷の量が測定できなくなってしまう。そこで、第三の冷気通路３５を構成し、検氷レバー２８に冷気を当てて、例えば製氷室扉１３開閉時に検氷レバー２８に付いた霜を昇華させるようにした。
【００３２】
電動機構部２６は、製氷皿２７の後方、且つ仕切部材１７の前方に位置する。第一の冷気通路３３からの冷気は、電動機構部２６によって流れが阻害されないように考慮する必要がある。そこで、図３に示すように、第一の冷気吹き出し口３１より吹き出された冷気は、製氷フレーム２９（電動機構部２６の上面）と製氷室１４の上壁１４ａとの間の第二の冷気通路３４を経て、製氷フレーム２９上面に形成された通気孔２９ｂより製氷皿収納室３９内にある製氷皿２７上面に流入する。
【００３３】
第一の冷気通路３３、第三の冷気通路３５は、製氷フレーム２９側に設けた風路である。そのため、製氷皿２７の前方（電動機構部２６とは製氷皿２７を隔てた反対側）まで至っている。一方、第二の冷気通路３４は、通気孔２９ｂの上方まで、すなわち、製氷皿２７の長手方向で見た場合、電動機構部２６よりである。
【００３４】
次に図５〜図１０において電動機構部２６、製氷皿２７等を収納した製氷フレーム２９について説明する。
【００３５】
図５において、４４は第二の冷気通路の風向板である。第二の冷気通路の風向板４４は、第二の冷気通路３４の上流側に設けられており、通気孔２９ｂ側に流れて製氷皿収納室３９に導かれる冷気と、第三の冷気通路３５から検氷レバー収納室３６に導かれる冷気とを振り分ける働きを備えている。なお、冷気量は、検氷レバー収納室３６よりも製氷皿収納室３９が多くなるように分配する。
【００３６】
ここで、製氷フレーム２９の全体構成について説明する。製氷フレーム２９は、樹脂を射出成形して一体に形成している。この製氷フレーム２９は、図５〜図１０に示すように、下面が開放する門型形状であり、送風機２０に近い側に配置される第一の冷気通路３３と、送風機２０から遠い側に配置される検氷レバー収納室３６と、第一の冷気通路３３と検氷レバー収納室３６との間に配置される製氷皿収納室３９とを備える。製氷皿収納室３９の後方には、電動機構部２６を配置する電動機構部収納室４０を有し、製氷皿収納室３９の前方には、製氷皿２７の引き出し口４１を形成している。
【００３７】
製氷皿２７は、枠４２（図１０参照）及び製氷フレーム２９側に設けたレ−ル３８によって、製氷皿収納室３９内を前後に摺動する。そして、製氷皿２７を製氷皿収納室３９に収納した状態では、電動機構部２６の駆動軸２６ａと連結し、製氷皿２７を引き出した状態では、駆動軸２６ａとの連結関係が解除される。
【００３８】
更に、第一の冷気通路３３、第二の冷気通路３４、第三の冷気通路３５は、製氷フレーム２９を製氷室１４の上壁１４ａに取り付けた場合、上壁１４ａと製氷フレーム２９との間に形成される。そして、第一の冷気吹き出し口３１から吹き出された冷気は、第一の冷気通路３３に流れ、第一の冷気通路３３内に設けられた第一の冷気通路の風向板４５によって、製氷皿収納室３９と第一の冷気通路３３間を仕切る製氷皿収納室側壁２９ｃの製氷皿収納室開口４３に導き、製氷皿２７に吹き付けられる。
【００３９】
一方、第二の冷気吹き出し口３２から第二の冷気通路３４側に導かれた冷気は、第二の冷気通路の風向板４４により、通気孔２９ｂ側の流れと、第三の冷気通路３５側の流れとに振り分けられ、製氷皿収納室３９、検氷レバー収納室３６にそれぞれ流入する。
【００４０】
４６は、製氷フレーム２９の一部を構成する円弧状部である（図７参照）。この円弧状部４６は、製氷皿収納室３９の製氷皿２７上方面で且つ、該製氷皿２７の回動開始側、すなわち、駆動軸２６ａに沿う方向に製氷区画が二列ある製氷皿２７の一列の上方長手方向に設けられている。
【００４１】
そして、円弧状部４６は、製氷皿収納室側壁２９ｃに形成された製氷皿収納室開口４３から製氷皿収納室３９に入った冷気が、製氷皿２７表面（上面及び側面）に効率的に当たるように導く。すなわち、円弧状部４６は、第一の冷気通路３３を形成する製氷皿収納室側壁２９ｃに設けた製氷皿収納室開口４３より、製氷皿収納室３９に吹き込まれた冷気を、図７の矢印に示すように、製氷皿２７に沿って導き、製氷皿２７内の水をすばやく冷却して、製氷時間を短縮するような構成としている。
【００４２】
製氷フレーム２９に組み込まれる電動機構部２６は、製氷皿２７を捻ることで製氷皿２７から離氷させる。離氷時には、例えば１〜４Ｎ・ｍのトルクを必要とする。換言すると、製氷フレーム２９はこのトルクに耐える強度を必要とする。そこで、本実施形態の製氷フレーム２９は、円弧状部４６で強度を向上している。また、製氷皿収納室３９の両側には、正面から見て断面Ｕ字状の第一の冷気通路３３、第三の冷気通路３５を形成して、剛性を高めている（図８参照）。なお、第一の冷気通路３３に比較して断面積の小さい第三の冷気通路３５側に、検氷レバー収納室３６を設けることで、剛性を高めるとともに、冷気分配のバランスをとっている。
【００４３】
４７は温度センサーである。この温度センサー４７は、製氷皿２７内で氷ができたかどうかを検知する温度検知手段であり、円弧状部４６の終端付近に設けた冷気取り入れ口４８の近くに取り付けられている。
【００４４】
円弧状部４６は、製氷フレーム２９上面から製氷皿２７に近づくように湾曲しており、冷気取り入れ口４８は製氷皿２７に近い位置の円弧状部４６終端付近に設けている。これにより、温度センサー４７の検知温度は、製氷皿２７内の水温に近いものとなり、より正確な製氷制御となる。
【００４５】
また、温度センサー４７は、同温度帯である上段冷凍室７ａ、下段冷凍室７の温度制御を行う温度検知手段を兼ねることもある。この場合、第三の冷気通路３５に入る冷気も検知できるようにしておけば、製氷皿２７の水温の影響を除いて検知できる。
【００４６】
製氷皿２７内の水は、所定時間冷却すると氷になる。冷気取り入れ口４８から温度センサー４７側に入る冷気温度は、水の冷却に伴い低くなる。そして、この冷気温度が例えば−１０℃以下になって一定時間経過後、製氷完了と制御基板で判断して、製氷皿２７を回動し離氷動作を行うように制御する。
【００４７】
次に、温度センサー４７について説明する。温度センサー４７は、温度センサー収納部４９に収納される。温度センサー収納部４９は、第三の冷気通路３５先端部、すなわち、第三の冷気通路３５の前方に隣接している（図５参照）。また、温度センサー収納部４９は、円弧状部４６で区画形成された空間である（図７参照）。温度センサー収納部４９は、第三の冷気通路３５と連通しており、第三の冷気通路３５を流れる冷気の一部が流れるように構成されている。
【００４８】
円弧状部４６は製氷皿２７が離氷のために回動する回動軌跡よりもわずかに大きな円弧形状をなしており、製氷フレーム２９の剛性を向上させるとともに、第一冷気通路３３から冷気を効率よく製氷皿２７に導く。
【００４９】
また、円弧状部４６は、製氷フレーム上面２９ａが製氷皿２７に近づくように湾曲して構成されている。このため、円弧状部４６に形成された温度センサー収納部４９内に、冷気取り入れ口４８から流入する冷気（大部分が製氷皿２７上面を通り、製氷皿２７の水又は氷と熱交換した冷気）の温度は、製氷皿２７の水或いは氷の温度に近い温度となる。
【００５０】
５０は温度センサー収納部４９内に導かれる冷気を、温度センサー収納部４９外に導く排気孔である。この排気孔５０から流出した冷気は、貯氷容器３０側に流れていく。
【００５１】
第三の冷気通路３５から温度センサー収納部４９に流入する冷気量は、製氷室扉１０を開けた時、温度センサー収納部４９内に流入する外気によって温度が上がるのを抑制できる程度の量である。従って、温度センサー収納部４９は、第三の冷気通路３５の先端部に連通させて、検氷レバー収納室３６に大半の冷気を送風した残りの冷気が、温度センサー収納部４９に入るようにした。換言すると、温度センサー収納部４９は、製氷室扉１０に近く、冷却器室１６から離れた位置であって、製氷皿２７よりも上方に設けられている。これにより、温度センサー４７の検知精度を向上することができる。
【００５２】
自動製氷機における給水、製氷、離氷は、次のようにして行われる。貯水タンク２４内の水は、ポンプ（図示せず）等によって一定量、製氷皿２７に給水する。給水された製氷皿２７内の水の温度は、給水直後は冷蔵室６内の温度と同じであるが、第一の冷気通路３３、第二の冷気通路３４を通して送風される冷気により冷却され、所定時間経過後氷となる。その間、温度センサー４７は、冷気取り入れ口４８からの冷気温度を検知して、制御基板（図示せず）に信号を送る。
【００５３】
製氷温度（水から氷への状態変化の温度）で一定時間経過した後、制御基板は電動機構部２６を動作させる。電動機構部２６が動作すると、まず検氷レバー２８が動作し、貯氷容器３０内が満氷になっているかどうかを検知する。貯氷容器３０内が満氷の場合には離氷を行うことなく製氷皿２７は待機するが、満氷でない場合には製氷皿２７を製氷位置から離氷位置まで回動し、ひねり動作を行い、製氷皿２７の氷を貯氷容器３０内に落とす。
【００５４】
この後、製氷皿２７は製氷位置に戻り、貯水タンク２４から給水を受けて再度製氷を行う。この動作を繰り返すことで、貯氷容器３０内に氷を確保する。
【００５５】
製氷室扉１０開閉時に検氷レバー２８に成長した霜は、第三の冷気通路３５から検氷レバー収納室３６内に吹き出される冷気により昇華され、検氷レバー２８には霜がない状態を維持する。
【００５６】
本発明は以上説明した構成を有するから、次の効果が得られる。すなわち、貯氷量を検知する検氷レバーと、該検氷レバーで貯氷量不足を検知した場合に製氷皿を回転駆動して離氷する電動機構部と、を有する自動製氷機を備えた冷蔵庫において、前記自動製氷機は製氷フレームを備え、該製氷フレームは、前記製氷皿を収納する製氷皿収納室と、前記製氷皿収納室と区画されて前記検氷レバーを収納する検氷レバー収納室と、が形成されて、前記製氷皿収納室の側部から冷気を導く第一の冷気通路と、前記検氷レバー収納室に冷気を導く第三の冷気通路と、前記製氷皿収納室の上部及び前記第三の冷気通路に冷気を導く第二の冷気通路と、を備える。
【００５７】
これにより、検氷レバーが製氷皿への冷気供給を阻害しないので、製氷能力の向上が図れる。また、検氷レバー収納室内へ低湿度の冷気を容易に導入できるので、検氷レバー収納室内での冷気滞留を抑制して検氷レバーへの霜付きを回避できる。よって、検氷レバーに霜が付き、正確な検氷ができなくなることを抑制できる。
【００５８】
また、製氷皿収納室を挟んで第一の冷気通路、第三の冷気通路を形成しているので、製氷フレーム自体の強度を向上できる。
【００５９】
また、前記第二の冷気通路は、前記電動機構部の上部に設けられ、前記製氷皿収納室及び前記第三の冷気通路に冷気を分配する風向板を備える。これにより、長方形状の製氷皿全体への冷気導入が容易となり、冷却ムラを抑制できる。
【００６０】
また、前記検氷レバー収納室側壁に検氷レバー収納室開口が形成されて、前記第三の冷気通路から前記検氷レバー収納室開口を通過した冷気が前記検氷レバー収納室に導かれる。これにより、検氷レバー収納室内全体の冷気滞留を抑制して、検氷レバー部への霜付きを回避できる。
【符号の説明】
【００６１】
１  冷蔵庫本体
６  冷蔵室
７  下段冷凍室
７ａ  上段冷凍室
１０  製氷室扉
１０ａ  扉枠
１１  第一の冷凍室扉
１２  第二の冷凍室扉
１４  製氷室
１４ａ  上壁
１７  仕切部材
２０  送風機
２４  貯水タンク
２５  自動製氷機
２６  電動機構部
２６ａ  駆動軸
２７  製氷皿
２８  検氷レバー
２８ａ  支点
２９  製氷フレーム
２９ａ  製氷フレーム上面
２９ｂ  通気孔
２９ｃ  製氷皿収納室側壁
２９ｄ  検氷レバー収納室側壁
３０  貯氷容器
３１  第一の冷気吹き出し口
３２  第二の冷気吹き出し口
３３  第一の冷気通路
３４  第二の冷気通路
３５  第三の冷気通路
３６  検氷レバー収納室
３７  検氷レバー収納室開口
３９  製氷皿収納室
４０  電動機構部収納室
４１  引き出し口
４３  製氷皿収納室開口
４４  第二の冷気通路の風向板
４５  第一の冷気通路の風向板
４６  円弧状部
４７  温度センサー
４８  冷気取り入れ口
４９  温度センサー収納部
５０  排気孔
【図１】
0005634359.tif 000002
【図２】
0005634359.tif 000003
【図３】
0005634359.tif 000004
【図４】
0005634359.tif 000005
【図５】
0005634359.tif 000006
【図６】
0005634359.tif 000007
【図７】
0005634359.tif 000008
【図８】
0005634359.tif 000009
【図９】
0005634359.tif 000010
【図１０】
0005634359.tif 000011